【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
フィーダベース上に複数並設された部品供給ユニットより電子部品を装着ヘッドに取り付けられた吸着ノズルにより取り出して、基板上に装着する電子部品の装着装置において、
前記部品供給ユニットのシリアル番号に関連付けて部品ＩＤを格納している第１の記憶手段と、
生産する機種の前記基板に装着する前記電子部品を供給する前記部品供給ユニットを前記フィーダベースに脱着した場合に、生産する機種の前記基板の電子部品を供給する脱着した前記部品供給ユニットのシリアル番号を手掛かりとして前記第１の記憶手段に格納されている脱着した前記部品供給ユニットのシリアル番号に関連付けられている部品ＩＤを入手し、入手した部品ＩＤと、前記脱着した前記部品供給ユニットに収納された前記供給リールに付されていて読取られた部品ＩＤとを比較する比較手段と、
前記比較手段による比較結果が不良の場合には、生産運転を開始しないように制御する制御手段とを
設けたことを特徴とする電子部品の装着装置。
【請求項２】
前記比較手段は、現行生産機種の前記基板に使用する前記部品供給ユニットの外に、次以降に生産する機種の前記基板に装着する前記電子部品を供給する前記部品供給ユニットを前記フィーダベースに脱着した場合に、次以降に生産する機種の前記基板の電子部品を供給する脱着した前記部品供給ユニットのシリアル番号を手掛かりとして前記第１の記憶手段に格納されている脱着した前記部品供給ユニットのシリアル番号に関連付けられている部品ＩＤを入手し、入手した部品ＩＤと、前記脱着した前記部品供給ユニットに収納された前記供給リールに付されていて読取られた部品ＩＤとを比較し、
前記制御手段は、前記比較手段による比較結果が不良の場合には、生産運転を開始しないように制御する
ことを特徴とする請求項１に記載の電子部品の装着装置。
【請求項３】
前記比較手段が比較していない旨を報知する報知手段を
設けたことを特徴とする請求項１又は請求項２に記載の電子部品の装着装置。
【請求項４】
現行生産機種の前記基板に装着する前記電子部品を供給する前記部品供給ユニットの外に、次以降に生産する機種の前記基板に装着する前記電子部品を供給する前記部品供給ユニットを前記フィーダベースに脱着した場合に、脱着した部品供給ユニットに係る情報を第２の記憶手段に格納して前記現行生産機種の基板の生産運転が終了した後の前記次以降に生産する機種の前記基板の生産のために機種切替えを行った後に、前記次以降に生産する機種の前記基板に装着する前記電子部品を供給する前記部品供給ユニットの前記フィーダベースへの掛け違いチェックを実行する実行手段と、
この実行手段による掛け違いチェック結果が良好の場合に、前記第２の記憶手段に格納された情報に基づいて使用する部品供給ユニットが脱着されたか否かを判定する判定手段とを備え、
この判定手段により脱着されたと判定した場合に、前記比較手段は前記次以降に生産する機種の前記基板に装着する前記電子部品を供給する脱着した前記部品供給ユニットのシリアル番号を手掛かりとして前記第１の記憶手段に格納されている脱着した前記部品供給ユニットのシリアル番号に関連付けられている部品ＩＤを入手し、入手した部品ＩＤと、前記脱着した前記部品供給ユニットに収納された前記供給リールに付されていて読取られた部品ＩＤとを比較し、
この比較結果が良好の場合には、前記制御手段は生産運転が開始できるように制御する
ことを特徴とする請求項２又は請求項３に記載の電子部品の装着装置。
【請求項５】
フィーダベース上に複数並設された部品供給ユニットより電子部品を装着ヘッドに取り付けられた吸着ノズルにより取り出して、基板上に装着する電子部品の装着方法において、
前記部品供給ユニットのシリアル番号に関連付けて部品ＩＤを第１の記憶手段格納し、
生産する機種の前記基板に装着する前記電子部品を供給する前記部品供給ユニットを前記フィーダベースに脱着した場合に、生産する機種の前記基板の電子部品を供給する脱着した前記部品供給ユニットのシリアル番号を手掛かりとして前記第１の記憶手段に格納されている脱着した前記部品供給ユニットのシリアル番号に関連付けられている部品ＩＤを入手し、入手した部品ＩＤと、前記脱着した前記部品供給ユニットに収納された前記供給リールに付されていて読取られた部品ＩＤとを比較し、
この比較結果が不良の場合には、生産運転を開始しないように
したことを特徴とする電子部品の装着方法。
【請求項６】
現行生産機種の前記基板に装着する前記電子部品を供給する前記部品供給ユニットの外に、次以降に生産する機種の前記基板に装着する前記電子部品を供給する前記部品供給ユニットを前記フィーダベースに脱着した場合に、次以降に生産する機種の前記基板の電子部品を供給する脱着した前記部品供給ユニットのシリアル番号を手掛かりとして前記第１の記憶手段に格納されている脱着した前記部品供給ユニットのシリアル番号に関連付けられている部品ＩＤを入手し、入手した部品ＩＤと、前記脱着した前記部品供給ユニットに収納された前記供給リールに付されていて読取られた部品ＩＤとを比較し、
この比較結果が不良の場合には、生産運転を開始しないように
したことを特徴とする請求項５に記載の電子部品の装着方法。
【手続補正２】
【補正対象書類名】明細書
【補正対象項目名】０００７
【補正方法】変更
【補正の内容】
【０００７】
このため第１の発明は、フィーダベース上に複数並設された部品供給ユニットより電子部品を装着ヘッドに取り付けられた吸着ノズルにより取り出して、基板上に装着する電子部品の装着装置において、
前記部品供給ユニットのシリアル番号に関連付けて部品ＩＤを格納している第１の記憶手段と、
生産する機種の前記基板に装着する前記電子部品を供給する前記部品供給ユニットを前記フィーダベースに脱着した場合に、生産する機種の前記基板の電子部品を供給する脱着した前記部品供給ユニットのシリアル番号を手掛かりとして前記第１の記憶手段に格納されている脱着した前記部品供給ユニットのシリアル番号に関連付けられている部品ＩＤを入手し、入手した部品ＩＤと、前記脱着した前記部品供給ユニットに収納された前記供給リールに付されていて読取られた部品ＩＤとを比較する比較手段と、
前記比較手段による比較結果が不良の場合には、生産運転を開始しないように制御する制御手段とを
設けたことを特徴とする。
【手続補正３】
【補正対象書類名】明細書
【補正対象項目名】０００８
【補正方法】変更
【補正の内容】
【０００８】
第２の発明は、第１の発明において、前記比較手段は、現行生産機種の前記基板に使用する前記部品供給ユニットの外に、次以降に生産する機種の前記基板に装着する前記電子部品を供給する前記部品供給ユニットを前記フィーダベースに脱着した場合に、次以降に生産する機種の前記基板の電子部品を供給する脱着した前記部品供給ユニットのシリアル番号を手掛かりとして前記第１の記憶手段に格納されている脱着した前記部品供給ユニットのシリアル番号に関連付けられている部品ＩＤを入手し、入手した部品ＩＤと、前記脱着した前記部品供給ユニットに収納された前記供給リールに付されていて読取られた部品ＩＤとを比較し、
前記制御手段は、前記比較手段による比較結果が不良の場合には、生産運転を開始しないように制御する
ことを特徴とする。
【手続補正４】
【補正対象書類名】明細書
【補正対象項目名】０００９
【補正方法】変更
【補正の内容】
【０００９】
第３の発明は、第１又は第２の発明において、前記比較手段が比較していない旨を報知する報知手段を
設けたことを特徴とする。
【手続補正５】
【補正対象書類名】明細書
【補正対象項目名】００１０
【補正方法】変更
【補正の内容】
【００１０】
第４の発明は、第２又は第３の発明において、現行生産機種の前記基板に装着する前記電子部品を供給する前記部品供給ユニットの外に、次以降に生産する機種の前記基板に装着する前記電子部品を供給する前記部品供給ユニットを前記フィーダベースに脱着した場合に、脱着した部品供給ユニットに係る情報を第２の記憶手段に格納して前記現行生産機種の基板の生産運転が終了した後の前記次以降に生産する機種の前記基板の生産のために機種切替えを行った後に、前記次以降に生産する機種の前記基板に装着する前記電子部品を供給する前記部品供給ユニットの前記フィーダベースへの掛け違いチェックを実行する実行手段と、
この実行手段による掛け違いチェック結果が良好の場合に、前記第２の記憶手段に格納された情報に基づいて使用する部品供給ユニットが脱着されたか否かを判定する判定手段とを備え、
この判定手段により脱着されたと判定した場合に、前記比較手段は前記次以降に生産する機種の前記基板に装着する前記電子部品を供給する脱着した前記部品供給ユニットのシリアル番号を手掛かりとして前記第１の記憶手段に格納されている脱着した前記部品供給ユニットのシリアル番号に関連付けられている部品ＩＤを入手し、入手した部品ＩＤと、前記脱着した前記部品供給ユニットに収納された前記供給リールに付されていて読取られた部品ＩＤとを比較し、
この比較結果が良好の場合には、前記制御手段は生産運転が開始できるように制御する
ことを特徴とする。
【手続補正６】
【補正対象書類名】明細書
【補正対象項目名】００１１
【補正方法】変更
【補正の内容】
【００１１】
第５の発明は、フィーダベース上に複数並設された部品供給ユニットより電子部品を装着ヘッドに取り付けられた吸着ノズルにより取り出して、基板上に装着する電子部品の装着方法において、
前記部品供給ユニットのシリアル番号に関連付けて部品ＩＤを第１の記憶手段格納し、
生産する機種の前記基板に装着する前記電子部品を供給する前記部品供給ユニットを前記フィーダベースに脱着した場合に、生産する機種の前記基板の電子部品を供給する脱着した前記部品供給ユニットのシリアル番号を手掛かりとして前記第１の記憶手段に格納されている脱着した前記部品供給ユニットのシリアル番号に関連付けられている部品ＩＤを入手し、入手した部品ＩＤと、前記脱着した前記部品供給ユニットに収納された前記供給リールに付されていて読取られた部品ＩＤとを比較し、
この比較結果が不良の場合には、生産運転を開始しないように
したことを特徴とする。
【手続補正７】
【補正対象書類名】明細書
【補正対象項目名】００１２
【補正方法】変更
【補正の内容】
【００１２】
第６の発明は、第５の発明において、現行生産機種の前記基板に装着する前記電子部品を供給する前記部品供給ユニットの外に、次以降に生産する機種の前記基板に装着する前記電子部品を供給する前記部品供給ユニットを前記フィーダベースに脱着した場合に、次以降に生産する機種の前記基板の電子部品を供給する脱着した前記部品供給ユニットのシリアル番号を手掛かりとして前記第１の記憶手段に格納されている脱着した前記部品供給ユニットのシリアル番号に関連付けられている部品ＩＤを入手し、入手した部品ＩＤと、前記脱着した前記部品供給ユニットに収納された前記供給リールに付されていて読取られた部品ＩＤとを比較し、
この比較結果が不良の場合には、生産運転を開始しないように
したことを特徴とする。
【手続補正８】
【補正対象書類名】明細書
【補正対象項目名】００６９
【補正方法】変更
【補正の内容】
【００６９】
また、図１５に示すように、配置番号「Ｆｄｒ  Ｎｏ．」（「２１５」、「２１７」、「２１８」）、「部品ＩＤ」、部品残数及びＡＣＶチェック（「ＯＫ（良好の意）」）がモニタ２７に表示される。即ち、機種「１」のプリント基板６への電子部品の装着に使用する脱着された配置番号「２１７」及び「２１８」の部品供給ユニット１３ＢのＡＣＶチェック結果に加えて、機種「２」のプリント基板６への電子部品の装着に使用する脱着された配置番号「２１５」の部品供給ユニット１３ＢのＡＣＶチェック結果が追加表示される。